(57)【要約】      （修正有）【課題】複数の疾病の治療を一度に行いうることができる低周波電流治療器を提供する。【解決手段】低周波電流印加装置１において、各々の疾病に対してそれを治療するために予め疾病ごとに取り決めた複数の周波数の組合せより構成されるものを一つのコードとし、各疾病に対してそれに対応する各コードを取り決め、低周波電流印加装置の中にその取り決めたコードに従い低周波電流をそれぞれのコードに従って発振する装置を設け、この装置によって異なった複数のコードの低周波電流の印加を順次印加可能とした。【選択図】図１
0003224782.tif 000002
【実用新案登録請求の範囲】
【請求項１】
低周波電流印加装置において、各々の疾病に対するその疾病を改善させるあらかじめ取り決めた複数の異なった周波数の組合せによる治療コードを、一疾病ごとに構成し治療する該治療器において、連続して複数の異なった治療コードが順次印加されることを特徴とする低周波電流印加装置。
【考案の詳細な説明】
【技術分野】
【０００１】  本考案は低周波電流を用いて身体の疾病状況の改善を助力するためにもち得る治療器に関するものである。さらに詳しくは低周波電流を体内に印加することによって、身体の疾病の改善を促すことができる低周波電流印加装置に関するものである。
【背景技術】
【０００２】  従来低周波電流を体内に印加することによって治療を施す場合、所望する身体の２箇所に片側は治療電極他方は不関電極より構成される２枚のパットを貼着し、その２枚のパット間に低周波電流を交信させて治療を行っていた。
【考案の概要】
【考案が解決しようとする課題】
【０００３】  治療用の２枚のパット間に低周波電流を印加する場合、疾病の箇所、状況、疾病（病名）の種類によってその印加する電流の周波数が異なっていた。これは過去の長期にわたる先人たちの多くの実験や経験によってその印加する低周波数電流の周波数が解明され、それにもとずいて対応する周波数を決定し疾病ごとに印加していた。【０００４】  しかしながら身体の疾病患者は一つの症状でなく複合した疾患を持つものが多い。たとえば糖尿病の患者はインスリンの分泌が悪いだけでなくその原因となる不健康な生活習慣、また血管が脆くなっていることや酸性体質傾向があることなど多くの原因となる改善項目があった。【０００５】  しかしながら従来の低周波電流の印加方法では、ある一つの疾病に対して複数の異なった周波数の組合せによる一つの治療コードを用いて、それに従い治療用電流を身体に印加し治療していた。【０００６】  これらの方法は一つの疾病患者の疾患を治療した後はまた別の異なった低周波数電流の組合せのコード、すなわち治療により異なった周波数の組合せのものを一つのグループとして取り扱いそのグループごとにコード番号を付して取りまとめているもので、この別のコード場番号を再度入力して次の治療に入る方法をとっていた。例えば糖尿病の患者に対してはインスリンの分泌をよくするためのコードを入力していたが、そのほかにも血液の酸性化の改善や、血流の改善コードや免疫力向上のコードなどの治療を同時に進めることが重要であった。そのため各治療が終了するごとにそれぞれのコード番号を再入力して治療をしていた。【０００７】  しかしながら毎回各種の疾病患者にそれぞれの治療コードをその都度入力し治療を進めることは手間暇がかかり、また入力入れ替え時間も要し治療者もまた患者にとても改善の余地があった。【０００８】  本考案においては上記の時間の無駄や手間暇をなるべく少なくするため、治療しようとする患者に対しては一度に所望する複数の疾病の治療コードを入力して、例えば糖尿病の患者に対してはインスリンの分泌を促すような膵臓への刺激のコード、および酸性化した血液の改善コードや免疫力向上のコードなどの異なった低周波数電流が連続して、順次一つのコードが終わるごとに次のコードの周波数の印加が始まるように構成する。
【課題を解決するための手段】
【０００９】  本考案においては一度のコード設定で連続的に複数のコードを順次起動させて、複数の疾患の治療を取り進めることができる装置を提供する。その目的を実行するため各疾病や身体の不具合状況を改善するコード等約３５０種類の治療コードより構成されるコード情報納装置より、治療しようとする項目に該当する複数個の周波数の組合せのコードを入力し、順次そのコードに従い異なった低周波数の電流を順次印加するよう回路構成した装置を設ける。【００１０】  この装置によって一度に数種類の疾患の治療が連続的に取り行える。【００１１】  この考案は複数個の異なった低周波数電流の組合せより構成される治療コードが、前記したごとく約３５０種類の各異なった疾病に対して、それぞれの治療効果のある周波数の組合せコードとして活用できるようにしたものであって、従来の治療器が一コードごとの印加で治療を終えるようにしていたものを、複数の治療コードを一度に入力し一コード終わるごとに次の治療コードがスタートするように連続して複数の治療コードの低周波電流が印加されるように構成してものである。
【考案の効果】
【００１２】  本考案の低周波電流の各疾患による単独の治療コード印加方法において治療しその一コードの治療終了後再度他の治療コードを入力して治療する方法から数種類の治療コードを連続的に印加する制御、印加、コントロール方式を用いて疾病患者に連続的に印加する制御方法を用いた制御器を設けることによって、治療者も被治療者も時間の軽減と身体の負担を軽減することができる。
【図面の簡単な説明】
【００１３】
【図１】低周波電流印加装置
【考案を実施するための形態】
【００１４】  本考案の構成について図１をもとに説明する。低周波電流印加装置１は、手動コード入力部２と選択された低周波信号出力部３と低周波電流発振器４と低周波の周波数変換部５と入力情報や主導による情報のメモリーを執り行うメモリー部６と発振された低周波を身体に接触させて印加するための治療電極７と該治療電極７と対をなす俯瞰電極８より構成される。
【００１５】  以上により構成される低周波電流印加装置１は、手動コード入力部２によって治療に適した複数の治療コードを順次入力する。入力された情報にもとずいてメモリー部６に記録される。次いでスタートボタン（特に図示せず）を押して電流の印加を開始する。その場合別途設けた電圧調整器（特に図示せず）により順次そのボリュームを上げていき疾病患者と治療者の合意した電圧値において設定値を完了する。一方入力条件によって低周波電流発振器４より低周波を発生させて設定された周波数に低周波数変換器５によって変換し低周波電流を発振し治療電極７と不関電極８とによって身体に印加してゆく。
【００１４】  ある一定の低周波電流が印加され一連のコードの印加が終了すると、手動コード入力部２によって入力された条件に従い順次次の印加動作が作動する。しかして入力に応じた情報によって一連の印加動作が繰り返されすべて入力した情報の印加が終了すると、終了サインの信号用ブザー（図示せず）が作動し、また場合によって点滅ランプ（図示せず）も点滅するよう構成している。
【００１５】    以上の構成及び作用によって複数の治療コードを連続して順次一度で行うことができる。
【符号の説明】
【００１６】  １    低周波数電流印加装置
２    手動コード入力部
３    選択低周波信号出力部
４    低周波電流発信機
５    周波数変換部
６    メモリー部
７    治療電極
８    不関電極
【図１】
0003224782.tif 000003
【手続補正書】
【提出日】令和1年10月28日(2019.10.28)
【手続補正１】
【補正対象書類名】実用新案登録請求の範囲
【補正対象項目名】全文
【補正方法】変更
【補正の内容】
【実用新案登録請求の範囲】
【請求項１】
低周波電流印加装置において、各々の疾病に対してそれを治療するために予め疾病ごとに取り決めた複数の周波数の組合せより構成されるものを一つのコードとし、各疾病に対してそれに対応する各コードを取り決め、低周波電流印加装置の中にその取り決めたコードに従い低周波電流をそれぞれのコードに従って発振する装置を設け、この装置によって異なった複数のコードの低周波電流の印加を順次印加可能とした低周波電流印加装置。